(57)【要約】【課題】携帯端末の電池の低電圧状態を高精度に検出できる低電圧検出装置、低電圧検出方法、及びプログラムを提供すること。【解決手段】低電圧検出装置１０は、携帯端末１００の電池１０１の温度を検出する温度検出手段１と、携帯端末１００の電池１０１の電圧を検出する電圧検出手段２と、携帯端末１００の使用状態毎に設定された、電池１０１の低電圧状態を検出するための基準閾値と、電池１０１の低温状態を判定するための判定温度と、を夫々記憶する記憶手段３と、温度検出手段１により検出された電池１０１の温度が記憶手段３に記憶された判定温度以下となるとき、電圧検出手段２により検出された電池１０１の電圧と、記憶手段３に記憶された基準閾値を補正した補正閾値と、に基づいて、電池１０１の低電圧状態を判定する低電圧判定手段４と、を備える。【選択図】図１
2011064646.tif 000002
【特許請求の範囲】
【請求項１】
携帯端末の電池の温度を検出する温度検出手段と、
前記携帯端末の電池の電圧を検出する電圧検出手段と、
前記携帯端末の使用状態毎に設定された、前記電池の低電圧状態を検出するための基準閾値と、前記電池の低温状態を判定するための判定温度と、を夫々記憶する記憶手段と、
前記温度検出手段により検出された前記電池の温度が前記記憶手段に記憶された前記判定温度以下となるとき、前記電圧検出手段により検出された電池の電圧と、前記記憶手段に記憶された基準閾値を補正した補正閾値と、に基づいて、前記電池の低電圧状態を判定する低電圧判定手段と、
を備えることを特徴とする低電圧検出装置。
【請求項２】
請求項１記載の低電圧検出装置であって、
前記記憶手段は、前記携帯端末の使用状態毎に、前記基準閾値を補正するための補正値を更に記憶しており、
前記低電圧判定手段は、前記温度検出手段により検出された前記電池の温度が前記記憶手段に記憶された前記判定温度以下となるとき、前記電圧検出手段により検出された電池の電圧と、前記記憶手段に記憶された前記基準閾値に前記補正値を加算した補正閾値と、を比較して、前記電池の低電圧状態を判定する、ことを特徴とする低電圧検出装置。
【請求項３】
請求項２記載の低電圧検出装置であって、
前記記憶手段は、前記携帯端末の使用状態毎に設定された、複数種類の前記補正値及び前記判定温度を記憶し、
前記低電圧判定手段は、前記基準閾値に前記複数種類の前記補正値を夫々加算して複数の補正閾値を夫々算出して、前記電池の低電圧状態を判定する、ことを特徴とする低電圧検出装置。
【請求項４】
請求項１乃至３のうちいずれか１項記載の低電圧検出装置であって、
前記低電圧判定手段により前記電池が低電圧状態にあると判定されたとき、該電池の低電圧状態を報知する報知手段を更に備える、ことを特徴とする低電圧検出装置。
【請求項５】
請求項４記載の低電圧検出装置であって、
前記報知手段は、前記温度検出手段により検出された電池の温度が、前記記憶手段に記憶された判定温度以下となるとき、該電池の低温状態を報知する、ことを特徴とする低電圧検出装置。
【請求項６】
請求項１乃至５のうちいずれか１項記載の低電圧検出装置であって、
前記低電圧判定手段により前記電池が低電圧状態にあると判定されたときからの経過時間を計測するタイマ手段を更に備え、
前記低電圧判定手段は、前記タイマ手段により所定時間の経過が計測されると、前記携帯端末の電源をオフ状態にする、ことを特徴とする低電圧検出装置。
【請求項７】
請求項１乃至６のうちいずれか１項記載の低電圧検出装置であって、
前記低電圧判定手段は、前記電池が低電圧状態にあると判定した後、前記電池に対する充電開始の有無を確認する、ことを特徴とする低電圧検出装置。
【請求項８】
請求項１乃至７のうちいずれか１項記載の低電圧検出装置であって、
前記低電圧判定手段は、前記温度検出手段により検出された前記電池の温度が前記記憶手段に記憶された前記判定温度より大きいとき、前記電圧検出手段により検出された電池の電圧と、前記記憶手段に記憶された基準閾値と、を比較して、前記電池の低電圧状態を判定する、ことを特徴とする低電圧検出装置。
【請求項９】
請求項１乃至８のうちいずれか１項記載の低電圧検出装置であって、
前記携帯端末の使用状態は、電源のオン時、無操作かつ待受け状態、操作中かつ待受け状態、及び通信中、のうち少なくとも１つの状態を含む、ことを特徴とする低電圧検出装置。
【請求項１０】
携帯端末の電池の温度を検出する工程と、
前記携帯端末の電池の電圧を検出する工程と、
前記携帯端末の使用状態毎に、前記電池の低電圧状態を検出するための基準閾値と、前記電池の低温状態を判定するための判定温度と、を設定する工程と、
前記検出された前記電池の温度が前記設定された判定温度以下となるとき、前記検出された電池の電圧と、前記基準閾値を補正した補正閾値と、に基づいて、前記電池の低電圧状態を判定する工程と、
を含むことを特徴とする低電圧検出方法。
【請求項１１】
携帯端末の使用状態毎に、電池の低電圧状態を検出するための基準閾値と、前記電池の低温状態を判定するための判定温度と、が設定されており、
前記電池の温度が前記設定された判定温度よりも低いとき、前記電池の電圧と、前記基準閾値を補正した補正閾値と、に基づいて、前記電池の低電圧状態を判定する処理をコンピュータに実行させること特徴とするプログラム。
【発明の詳細な説明】
【技術分野】
【０００１】
本発明は、例えば、携帯端末の電池の低電圧状態を検出することができる低電圧検出装置、低電圧検出方法、及びプログラムに関するものである。
【背景技術】
【０００２】
従来、携帯端末において、待受け状態や通信状態などの使用状態に応じて、電池の残量を判定する電池残量検出装置が知られている（例えば、特許文献１及び２）。当該電池残量検出装置は、携帯端末の使用状態に応じて、電池残量を判定するためのテーブルを切替えている。
【先行技術文献】
【特許文献】
【０００３】
【特許文献１】特開２０００−９２７２１号公報
【特許文献２】特開２００１−１２６７７８号公報
【発明の概要】
【発明が解決しようとする課題】
【０００４】
また、例えば、電池が低温状態のときは常温状態のときと比較して、電池セル内の内部抵抗が増加し電池電圧の降下量が増加する。このため、図８に示すように、電池温度が常温状態（実線（１））と低温状態（点線（２））とでは電池電圧の降下量に差が生じる。これにより、電池の低電圧状態の検出に誤差が生じ得る。なお、上記電池残量検出装置は、電池の温度変化に応じてテーブルを切替えているが、その切替えタイミングによっては（例えば、常温に切替え後、低温になった場合等）、電池残量の判定が適切に行えない可能性がある。
【０００５】
本発明は、このような問題点を解決するためになされたものであり、携帯端末の電池の低電圧状態を高精度に検出できる低電圧検出装置、低電圧検出方法、及びプログラムを提供することを主たる目的とする。
【課題を解決するための手段】
【０００６】
上記目的を達成するための本発明の一態様は、携帯端末の電池の温度を検出する温度検出手段と、前記携帯端末の電池の電圧を検出する電圧検出手段と、前記携帯端末の使用状態毎に設定された、前記電池の低電圧状態を検出するための基準閾値と、前記電池の低温状態を判定するための判定温度と、を夫々記憶する記憶手段と、前記温度検出手段により検出された前記電池の温度が前記記憶手段に記憶された前記判定温度以下となるとき、前記電圧検出手段により検出された電池の電圧と、前記記憶手段に記憶された基準閾値を補正した補正閾値と、に基づいて、前記電池の低電圧状態を判定する低電圧判定手段と、  を備えることを特徴とする低電圧検出装置である。
【０００７】
また、上記目的を達成するための本発明の一態様は、携帯端末の電池の温度を検出する工程と、前記携帯端末の電池の電圧を検出する工程と、前記携帯端末の使用状態毎に、前記電池の低電圧状態を検出するための基準閾値と、前記電池の低温状態を判定するための判定温度と、を設定する工程と、前記検出された前記電池の温度が前記設定された判定温度以下となるとき、前記検出された電池の電圧と、前記基準閾値を補正した補正閾値と、に基づいて、前記電池の低電圧状態を判定する工程と、を含むことを特徴とする低電圧検出方法であってもよい。
【０００８】
さらに、上記目的を達成するための本発明の一態様は、携帯端末の使用状態毎に、電池の低電圧状態を検出するための基準閾値と、前記電池の低温状態を判定するための判定温度と、が設定されており、前記電池の温度が前記設定された判定温度よりも低いとき、前記電池の電圧と、前記基準閾値を補正した補正閾値と、に基づいて、前記電池の低電圧状態を判定する処理をコンピュータに実行させること特徴とするプログラムであってもよい。
【発明の効果】
【０００９】
本発明によれば、携帯端末の電池の低電圧状態を高精度に検出できる低電圧検出装置、低電圧検出方法、及びプログラムを提供することができる。
【図面の簡単な説明】
【００１０】
【図１】本発明の実施形態に係る低電圧検出装置の機能ブロック図である。
【図２】本発明の実施形態１に係る低電圧検出装置の概略的なシステム構成の一例を示すブロック図である。
【図３】本発明の実施形態１に係る制御部の概略的なシステム構成の一例を示すブロック図である。
【図４】携帯端末の使用状態毎に設定された、基準閾値と、補正値と、判定温度と、を含む参照テーブル情報の一例を示す図である。
【図５】本発明の実施形態１に係る低電圧検出装置の制御処理フローの一例を示すフローチャートである。
【図６】携帯端末の使用状態毎に、複数の種類設定された判定温度及び補正値を含む参照テーブル情報の一例を示す図である。
【図７】本発明の実施形態２に係る低電圧検出装置の制御処理フローの一例を示すフローチャートである。
【図８】常温状態と低温状態とにおける電池電圧の降下状態の一例を示す図である。
【発明を実施するための形態】
【００１１】
以下、図面を参照して本発明の実施形態について説明する。図１は、本発明の実施形態に係る低電圧検出装置の機能ブロック図である。
【００１２】
本実施形態に係る低電圧検出装置１０は、携帯端末１００の電池１０１の温度Ｔを検出する温度検出手段１と、携帯端末１００の電池１０１の電圧Ｖを検出する電圧検出手段２と、携帯端末１００の使用状態毎に設定された、電池１０１の低電圧状態を検出するための基準閾値と、電池１０１の温度Ｔを判定するための判定温度と、を夫々記憶する記憶手段３と、温度検出手段１により検出された電池１０１の温度Ｔが記憶手段４に記憶された判定温度以下となるとき、電圧検出手段２により検出された電池１０１の電圧Ｖと、記憶手段３に記憶された基準閾値を補正した補正閾値と、に基づいて、電池１０１の低電圧状態を判定する低電圧判定手段４と、を備えている。
【００１３】
低電圧判定手段４は、電池１０１の温度Ｔが携帯端末１００の使用状態毎に設定された判定温度以下となり電池１０１が低温状態にあると判断すると、その低温状態及び使用状態に応じて補正した補正閾値と、電池１０１の電圧Ｖとを比較して、電池１０１の低温状態を判定する。これにより、携帯端末１００の電池１０１の低電圧状態を高精度に検出できる。
【００１４】
本発明の実施形態１．
図２は、本発明の実施形態１に係る低電圧検出装置の概略的なシステム構成の一例を示すブロック図である。本実施形態１に係る低電圧検出装置１０は、例えば、携帯電話等の携帯端末１００に搭載され、その携帯端末１００を駆動する電池１０１の低電圧状態を高精度に検出することができる。また、本実施形態１に係る低電圧検出装置１０は、温度センサ１１と、電圧センサ１２と、制御部１３と、報知部１４と、キー操作部１５と、を備えている。
【００１５】
温度センサ１１は、温度検出手段１の一具体例であり、携帯端末１００を駆動する電池１０１に対して間接的又は直接的に設けられており、電池１０１の温度Ｔを検出することができる。温度センサ１１には、例えば、サーミスタ等を用いることができる。温度センサ１１は、検出した電池１０１の温度Ｔを示す温度信号を、制御部１３に対して出力する。
【００１６】
電圧センサ１２は、電圧検出手段２の一具体例であり、電池１０１に並列的に接続されており、電池１０１の電圧Ｖを検出することができる。電圧センサ１２は、検出した電池１０１の電圧Ｖを示す電圧信号を、制御部１３に対して出力する。
【００１７】
制御部１３は、電池１０１の低電圧状態を検出するための各種の処理を行う。制御部１３は、例えば、制御処理、演算処理等と行うＣＰＵ（Central Processing Unit）１３ａと、ＣＰＵ１３ａによって実行される制御プログラム、演算プログラム等が記憶されたＲＯＭ（Read Only Memory）１３ｂと、処理データ等を記憶するＲＡＭ（Random Access Memory）１３ｃと、を有するマイクロコンピュータを中心にしてハードウェア構成されている。
【００１８】
また、制御部１３は、温度センサ１１から出力されるアナログの温度信号をデジタルの温度信号に変換する電池温度Ａ／Ｄ変換部１３ｄと、電圧センサ１２から出力されるアナログの電圧信号をデジタルの電圧信号に変換する電池電圧Ａ／Ｄ変換部１３ｅと、を有している。
【００１９】
報知部１４は、報知手段の一具体例であり、制御部１３からの制御信号に応じて、電池１０１が低電圧状態であることを、ユーザに対して報知する。報知部１４は、音声を用いて報知を行う音声出力部１４１と、メッセージ等を表示させて報知を行う表示部１４２と、を有している。
【００２０】
音声出力部１４１は、音声データの処理を行う音声処理回路１４１ａと、音声処理回路１４１ａからの出力信号に応じて音声を出力するスピーカ１４１ｂと、を有している。また、表示部１４２には、例えば、液晶ディスプレイ、有機ＥＬディスプレイ、ＬＥＤディスプレイ等を用いることができる。なお、報知部１４として、音声出力部１４１と表示部１４２とを具体例として挙げたが、これに限らず、例えば、ライトを点灯／点滅させてもよく、振動モータにより振動させてもよく、これらを任意に組み合わせてもよく、ユーザに報知できる任意の方法を用いることができる。
【００２１】
キー操作部１５は、複数のキーを有しており、ユーザによる各種の入力操作に応じて、操作信号を制御部１３に対して出力する。制御部１３は、例えば、キー操作部１５からの操作信号に応じて各種の処理を実行する。
【００２２】
図３は、本実施形態１に係る制御部の概略的なシステム構成の一例を示すブロック図である。本実施形態１に係る制御部１３は、データを記憶する記憶部１３１と、電池１０１の低電圧状態を判定する低電圧判定部１３２と、経過時間を計測するタイマ部１３３と、を有している。
【００２３】
記憶部１３１は、記憶手段３の一具体例であり、例えば、ＲＡＭ１３ｂ又はＲＯＭ１３ｃを用いることができる。また、記憶部１３１は、図４に示すような、携帯端末１００の使用状態毎に、電池１０１の低電圧状態を検出するための基準閾値Ｖａと、基準閾値Ｖａを補正するための補正値ΔＶ１と、電池１０１の低温状態を判定するための判定温度Ｔ１と、を設定した参照テーブル情報を記憶している。
【００２４】
ここで、基準閾値Ｖａには、例えば、常温状態で一定時間継続して、報知部１４によりその電池１０１の低電圧状態を報知できるだけの電圧が設定されている。また、補正値ΔＶ１には、常温状態から低温状態になったときの電池１０１の電圧降下量に相当する値が設定されている。さらに、判定温度Ｔ１は、携帯端末１００のその使用状態で低温と判定される温度が設定されている。
【００２５】
また、携帯端末１００の使用状態とは、例えば、携帯端末１００の電源がオン状態となる電源オン時、キー操作部１５が操作されていない無操作かつ待受け状態、キー操作部１５が操作されている操作中かつ待受け状態、通話やデータなどの送受信を行っている通信中、等の状態を指す。
【００２６】
このように携帯端末１００の使用状態毎に、上記基準閾値Ｖａ、補正値ΔＶ１、及び判定温度Ｔ１を設定するのは、各使用状態によって消費電流が大きく変動し、その変動により電池１０１の電圧自体も変動するからである。例えば、通信中は、電源オン時と比較して消費電流が大きくなるため、図４に示すように、上記基準閾値Ｖａ、及び補正値ΔＶ１を高く設定している。
【００２７】
さらに、図８に示すように、電池１０１の温度が常温状態（実線（１））と低温状態（点線（２））とでは電池電圧Ｖの降下量に差が生じる。このため、低電圧判定部１３２は、記憶部１３１に記憶された参照テーブル情報を用いて、携帯端末１００の使用状態及び電池１０１の温度Ｔに応じて基準閾値Ｖａを変更し、電池１０１の低電圧状態をより高精度に判定する。
【００２８】
低電圧判定部１３２は、まず、携帯端末１００の使用状態を判断し、その使用状態に対応する判定温度Ｔ１、基準閾値Ｖａ、及び補正値ΔＶ１を記憶部１３１の参照テーブル情報から抽出する。そして、低電圧判定部１３２は、温度センサ１１により検出された電池１０１の温度Ｔがその使用状態に対応する判定温度Ｔ１以下となるとき、対応する基準閾値Ｖａに補正値ΔＶ１を加算した補正閾値Ｖｂ１を算出する。さらに、低電圧判定部１３２は、電圧センサ１２により検出された電池１０１の電圧Ｖと、算出した補正閾値Ｖｂ１と、を比較し、電池１０１の電圧Ｖが補正閾値Ｖｂ１以下になったと判定すると、電池１０１が低電圧状態であると判定する。
【００２９】
このように、携帯端末１００の使用状態及び電池１０１の温度Ｔに応じて基準閾値Ｖａを補正した補正閾値Ｖｂ１を用いることで、電池１０１の低電圧状態を高精度に判定することができる。
【００３０】
低電圧判定部１３２は、電池１０１の低電圧状態を判定し検出すると、その電池１０１の低電圧状態を報知するための制御信号を、報知部１４に対して送信する。報知部１４は、低電圧判定部１３２から制御信号を受信すると所定の報知をユーザに対して行う。
【００３１】
例えば、報知部１４の音声出力部１４１は、スピーカ１４１ｂから、電池１０１が低電圧状態である旨の音声出力を行う。同様に、表示部１４２は、表示画面に電池１０１が低電圧状態である旨のメッセージを表示させる。これにより、ユーザは、携帯端末１００の電池１０１が低電圧状態にあることを確実に認識することができる。
【００３２】
タイマ部１３３は、低電圧判定部１３２により電池１０１が低電圧状態にあると判定されたときからの経過時間を計測する。例えば、低電圧判定部１３２は、電池１０１が低電圧状態にあると判定すると、経過時間の計測を開始させるための開始信号を、タイマ部１３３に対して送信する。そして、タイマ部１３３は、低電圧判定部１３２から開始信号を受信すると経過時間の計測を開始し、所定時間経過すると計測を停止し、その停止を通知するための停止信号を低電圧判定部１３２に対して送信する。低電圧判定部１３２は、タイマ部１３３から停止信号を受信すると携帯端末１００の電源をオフ状態にする制御を開始すると共に、報知部１４の報知を停止させるための制御信号を報知部１４に対して送信する。このようにして、電池１０１の低電圧状態が一定時間継続すると、自動的に携帯端末１００の電源をオフ状態にすることができる。
【００３３】
次に、本実施形態１に係る低電圧検出装置１０における低電圧検出方法について詳細に説明する。図５は、本実施形態１に係る低電圧検出装置の制御処理フローの一例を示すフローチャートである。
【００３４】
まず、低電圧判定部１３２は、携帯端末１００の使用状態を判断し（ステップＳ１０１）、その使用状態に対応した判定温度Ｔ１、基準閾値Ｖａ、及び補正値ΔＶ１を記憶部１３１の参照テーブル情報から読み込む（ステップＳ１０２）。
【００３５】
次に、低電圧判定部１３２は、温度センサ１１により検出された電池１０１の温度Ｔが判定温度Ｔ１以下であるか否かを判断する（ステップＳ１０３）。低電圧判定部１３２は、電池１０１の温度Ｔが判定温度Ｔ１以下であると判断したとき（ステップＳ１０３のＹＥＳ）、基準閾値Ｖａに補正値ΔＶ１を加算して補正閾値Ｖｂ１を算出する（ステップＳ１０４）。
【００３６】
その後、低電圧判定部１３２は、電圧センサ１２により検出された電池１０１の電圧Ｖが算出した補正閾値Ｖｂ１以下であるか否かを判断する（ステップＳ１０５）。低電圧判定部１３２は、電池１０１の電圧Ｖが算出した補正閾値Ｖｂ１以下であると判断したとき（ステップＳ１０５のＹＥＳ）、タイマ部１３３に開始信号を送信し、タイマ部１３３に経過時間の計測を開始させる（ステップＳ１０６）。一方で、低電圧判定部１３２は、電池１０１の電圧Ｖが算出した補正閾値Ｖｂ１以下でないと判断したとき（ステップＳ１０５のＮＯ）、上記（ステップＳ１０１）の処理に移行する。
【００３７】
さらに、低電圧判定部１３２は、報知部１４に制御信号を送信し、ユーザに対する報知を開始させる（ステップＳ１０７）。次に、低電圧判定部１３２は、電圧センサ１２により検出された電池１０１の電圧Ｖに基づいて、電池１０１に対する充電開始の有無を判断する（ステップＳ１０８）。
【００３８】
低電圧判定部１３２は、電池１０１に対して充電が開始されたと判断すると（ステップＳ１０８のＹＥＳ）、上記（ステップＳ１０１）の処理に移行する。一方、低電圧判定部１３２は、電池１０１に対して充電が開始されていないと判断すると（ステップＳ１０８のＮＯ）、タイマ部１３３から停止信号を受信し、計測開始から所定時間経過したか否かを判断する（ステップＳ１０９）。
【００３９】
低電圧判定部１３２は、タイマ部１３３から停止信号を受信し、計測開始から所定時間経過したと判断したとき（ステップＳ１０９のＹＥＳ）、携帯端末１００の電源をオフ状態にする制御を開始すると共に、報知部１４の報知を停止させるための制御信号を報知部１４に対して送信する（ステップＳ１１０）。一方、低電圧判定部１３２は、タイマ部１３３の計測開始から所定時間経過していないと判断したとき（ステップＳ１０９のＮＯ）、上記（ステップＳ１０８）の処理に移行する。
【００４０】
なお、上記（ステップＳ１０３）において、低電圧判定部１３２は、電池１０１の温度Ｔが判定温度Ｔ１以下でないと判断したとき（ステップＳ１０３のＮＯ）、電圧センサ１２により検出された電池１０１の電圧Ｖが基準閾値Ｖａ以下であるか否かを判断する（ステップＳ１１１）。
【００４１】
低電圧判定部１３２は、電池１０１の電圧Ｖが基準閾値Ｖａ以下であると判断したとき（ステップＳ１１１のＹＥＳ）、上記（ステップＳ１０６）の処理に移行する。一方、低電圧判定部１３２は、電池１０１の電圧Ｖが基準閾値Ｖａ以下でないと判断したとき（ステップＳ１１１のＮＯ）、上記（ステップＳ１０１）の処理に移行する。
【００４２】
以上、本実施形態１に係る低電圧検出装置において、低電圧判定部１３２は、温度センサ１１により検出された電池１０１の温度Ｔがその使用状態に対応する判定温度Ｔ１以下となるとき、対応する基準閾値Ｖａに補正値ΔＶ１を加算した補正閾値Ｖｂ１を算出する。さらに、低電圧判定部１３２は、電圧センサ１２により検出された電池１０１の電圧Ｖが補正閾値Ｖｂ１以下になったと判定すると、電池１０１が低電圧状態であると判定する。これにより、携帯端末１００の使用状態及び電池１０１の温度Ｔに応じて補正閾値Ｖｂ１を最適に設定することができるため、電池１０１の低電圧状態を高精度に検出できる。
【００４３】
本発明の実施形態２．
本発明の実施形態２に係る低電圧検出装置１０において、記憶部１３１は携帯端末１００の使用状態毎に、複数種類の判定温度及び補正値を記憶する構成でもよい。例えば、記憶部１３１は、図６に示すように、携帯端末１００の使用状態毎に、判定温度Ｔ１、補正値ΔＶ１、判定温度Ｔ２（Ｔ２＜Ｔ１）、補正値ΔＶ２（ΔＶ２＞ΔＶ１）、及び基準閾値Ｖａ、を夫々記憶している。
【００４４】
図７は、本実施形態２に係る低電圧検出装置の制御処理フローの一例を示すフローチャートである。
【００４５】
まず、低電圧判定部１３２は、携帯端末１００の使用状態を判断し（ステップＳ２０１）、その使用状態に対応した判定温度Ｔ１、Ｔ２、基準閾値Ｖａ、及び補正値ΔＶ１、Ｖ２を記憶部１３３の参照テーブル情報から読み込む（ステップＳ２０２）。
【００４６】
次に、低電圧判定部１３２は、温度センサ１１により検出された電池１０１の温度Ｔが判定温度Ｔ１以下であるか否かを判断する（ステップＳ２０３）。低電圧判定部１３２は、電池１０１の温度Ｔが判定温度Ｔ１以下であると判断したとき（ステップＳ２０３のＹＥＳ）、さらに、電池１０１の温度Ｔが判定温度Ｔ２以下であるか否かを判断する（ステップＳ２０４）。
【００４７】
低電圧判定部１３２は、電池１０１の温度Ｔが判定温度Ｔ２以下であると判断したとき（ステップＳ２０４のＹＥＳ）、基準閾値Ｖａに補正値ΔＶ２を加算して補正閾値Ｖｂ２を算出する（ステップＳ２０５）。一方、低電圧判定部１３２は、電池１０１の温度Ｔが判定温度Ｔ２以下でないと判断したとき（ステップＳ２０４のＮＯ）、基準閾値Ｖａに補正値ΔＶ１を加算して補正閾値Ｖｂ１を算出する（ステップＳ２０６）。
【００４８】
その後、低電圧判定部１３２は、電圧センサ１２により検出された電池１０１の電圧Ｖが算出した補正閾値Ｖｂ１、Ｖｂ２以下であるか否かを判断する（ステップＳ２０７）。低電圧判定部１３２は、電池１０１の電圧Ｖが算出した補正閾値Ｖｂ１、Ｖｂ２以下であると判断したとき（ステップＳ２０７のＹＥＳ）、タイマ部１３３に開始信号を送信し、タイマ部１３３に経過時間の計測を開始させる（ステップＳ２０８）。一方で、低電圧判定部１３２は、電池１０１の電圧Ｖが算出した補正閾値Ｖｂ１、Ｖｂ２以下でないと判断したとき（ステップＳ２０７のＮＯ）、上記（ステップＳ２０１）の処理に移行する。
【００４９】
さらに、低電圧判定部１３２は、報知部１４に制御信号を送信し、ユーザに対する報知を開始させる（ステップＳ２０９）。次に、低電圧判定部１３２は、電圧センサ１２により検出された電池１０１の電圧Ｖに基づいて、電池１０１に対する充電開始の有無を判断する（ステップＳ２１０）。
【００５０】
低電圧判定部１３２は、電池１０１に対して充電が開始されたと判断すると（ステップＳ２１０のＹＥＳ）、上記（ステップＳ２０１）の処理に移行する。一方、低電圧判定部１３２は、電池１０１に対して充電が開始されていないと判断すると（ステップＳ２１０のＮＯ）、タイマ部１３３から停止信号を受信し、計測から所定時間経過したか否かを判断する（ステップＳ２１１）。
【００５１】
低電圧判定部１３２は、タイマ部１３３から停止信号を受信し、計測開始から所定時間経過したと判断したとき（ステップＳ２１１のＹＥＳ）、携帯端末１００の電源をオフ状態にする制御を開始すると共に、報知部１４の報知を停止させるための制御信号を報知部１４に対して送信する（ステップＳ２１２）。一方、低電圧判定部１３２は、タイマ部１３３の計測開始から所定時間経過していないと判断したとき（ステップＳ２１１のＮＯ）、上記（ステップＳ２１０）の処理に移行する。
【００５２】
なお、上記（ステップＳ２０３）において、低電圧判定部１３２は、電池１０１の温度Ｔが判定温度Ｔ１以下でないと判断したとき（ステップＳ２０３のＮＯ）、電圧センサ１２により検出された電池１０１の電圧Ｖが基準閾値Ｖａ以下であるか否かを判断する（ステップＳ２１３）。低電圧判定部１３２は、電池１０１の電圧Ｖが基準閾値Ｖａ以下であると判断したとき（ステップＳ２１３のＹＥＳ）、上記（ステップＳ２０８）の処理に移行する。一方、低電圧判定部１３２は、電池１０１の電圧Ｖが基準閾値Ｖａ以下でないと判断したとき（ステップＳ２１３のＮＯ）、上記（ステップＳ２０１）の処理に移行する。
【００５３】
なお、上記説明は一例であり、記憶部１３１は、携帯端末１００の使用状態毎に、任意の数の判定温度Ｔ１〜Ｔｎ及び補正値ΔＶ１〜ΔＶｎを夫々記憶し、低電圧判定部１３２は任意の数の補正閾値Ｖｂ１〜Ｖｂｎを用いて、電池１０１の低電圧状態をより詳細に判定してもよい。
【００５４】
以上、本実施形態２に係る低電圧検出装置１０において、記憶部１３１は携帯端末１００の使用状態毎に、複数種類の判定温度及び補正値を記憶する。これにより、電池１０１の低温状態を判定するための判定温度、及び、電池１０１の電圧の基準閾値を補正するための補正値をより詳細に設定することができるため、電池１０１の低電圧状態をより高精度に検出できる。
【００５５】
なお、本発明は上記実施の形態に限られたものではなく、趣旨を逸脱しない範囲で適宜変更することが可能である。
【００５６】
例えば、上記実施形態において、報知部１４は、低電圧判定部１３２により電池１０１の温度Ｔが記憶部１３１に記憶された判定温度Ｔ１、Ｔ２以下であると判断されたとき、その電池１０１の低温状態をユーザに対して報知してもよい。具体的には、低電圧判定部１３２は、温度センサ１１により検出された電池１０１の温度Ｔが記憶部１３１に記憶された判定温度Ｔ１、Ｔ２以下であると判断したとき、その電池１０１の低温状態を報知させるための制御信号を報知部１４に対して送信する。報知部１４は、低電圧判定部１３２からの制御信号に応じて、例えば、「低温状態のため電池持ちが悪い環境下である」等のメッセージを、音声出力部１４１により音声出力し、もしくは表示部１４２により表示させる。
【００５７】
また、上記実施形態において、携帯端末１００の使用状態は、着信振動モータの駆動状態、ゲーム機能の実行状態、カメラ機能の実行状態、表示照明の実行状態、メロディー鳴動機能の実行状態等の消費電流の大きい状態を含むこととしてもよい。これにより、携帯端末１００の使用状態をより詳細に設定できるため、電池１０１の低電圧状態をより高精度に検出できる。
【００５８】
さらに、上記実施形態において、低電圧判定部１３２は、温度センサ１１により検出された電池１０１の温度Ｔがその使用状態に対応する判定温度Ｔ１、Ｔ２以下となるとき、対応する基準閾値Ｖａに補正係数を乗算して補正閾値Ｖｂ１、Ｖｂ２を算出してもよく、基準閾値Ｖａをパラメータとした補正関数ｆ（Ｖａ）を用いて補正閾値Ｖｂ１、Ｖｂ２を算出してもよい。
【００５９】
なお、本発明は、任意の処理を、ＣＰＵ１３ａにコンピュータプログラムを実行させることにより実現することも可能である。この場合、コンピュータプログラムは、記録媒体に記録して提供することも可能であり、また、インターネットその他の通信媒体を介して伝送することにより提供することも可能である。また、記憶媒体には、例えば、フレキシブルディスク、ハードディスク、磁気ディスク、光磁気ディスク、ＣＤ−ＲＯＭ、ＤＶＤ、ＲＯＭカートリッジ、バッテリバックアップ付きＲＡＭメモリカートリッジ、フラッシュメモリカートリッジ、不揮発性ＲＡＭカートリッジ等が含まれる。また、通信媒体には、電話回線等の有線通信媒体、マイクロ波回線等の無線通信媒体等が含まれる。
【符号の説明】
【００６０】
１    温度検出手段
２    電圧検出手段
３    記憶手段
４    低電圧判定手段
１０    低電圧検出装置
１１    温度センサ
１２    電圧センサ
１３    制御部
１４    報知部
１５    キー操作部
１００    携帯端末
１０１    電池
１３１    記憶部
１３２    低電圧判定部
１３３    タイマ部
【図１】
2011064646.tif 000003
【図２】
2011064646.tif 000004
【図３】
2011064646.tif 000005
【図４】
2011064646.tif 000006
【図５】
2011064646.tif 000007
【図６】
2011064646.tif 000008
【図７】
2011064646.tif 000009
【図８】
2011064646.tif 000010